(57)【要約】【課題】この発明は、外部モジュール、電子デバイス及び電子モジュールの駆動方法を提供する。【解決手段】電子デバイスはホスト及び複数の外部モジュールを含む。外部モジュールは、本体、第一コネクタ、移動部材及び第二コネクタを含み、電子デバイスに着脱可能に接続されている。本体は複数の接続ポートを有する。第一コネクタは接続ポートの一つに固定されている。電子デバイスは第一コネクタに電気的に接続され、外部モジュールに電力を供給して移動部材を駆動する。第二コネクタは本体内に設置される移動部材に実装され、第一コネクタに電気的に接続されている。移動部材は第二コネクタを駆動して、接続ポート間を切り替え、第二コネクタが位置する接続ポートは、第一コネクタが位置する接続ポートとは異なる。【選択図】図２
2013058197.tif 000002
【特許請求の範囲】
【請求項１】
電子デバイスに着脱可能に接続される外部モジュールであって、
複数の接続ポートを有する本体と、
前記複数の接続ポートの一つに固定される第一コネクタと、
前記本体内に設置される移動部材と、
前記移動部材上に設置され、前記第一コネクタに電気的に接続される第二コネクタと、
を備え、
前記電子デバイスは前記第一コネクタに電気的に接続されて、前記外部モジュールへ電力を供給し、前記移動部材を駆動して、前記第二コネクタを前記複数の接続ポート間で切り替え、かつ前記第二コネクタが位置する接続ポートは、前記第一コネクタが位置する接続ポートとは異なることを特徴とする外部モジュール。
【請求項２】
前記移動部材は、
前記本体内に設置された回転軸と、
一端が前記回転軸の中心に接続され、前記第二コネクタが別の一端に設置されるカンチレバーと、
前記回転軸に接続され、前記回転軸及び前記カンチレバーを駆動して回転させる駆動ユニットと、
を備えることを特徴とする請求項１に記載の外部モジュール。
【請求項３】
前記回転軸はギアであり、前記駆動ユニットは、
可動磁性部材及びそれを取り囲む複数のコイルを含む電磁性部材と、
前記可動磁性部材に接続され、前記回転軸に歯合するラックと、
を備え、
前記複数のコイルは、電力を受け取って前記可動磁性部材を駆動し、前記ラックを前後に押して、前記回転軸及び前記カンチレバーを回転させることを特徴とする請求項２に記載の外部モジュール。
【請求項４】
前記回転軸はギアであり、前記駆動ユニットは、
弾性部材と、
前記回転軸に歯合して、前記弾性部材の一端に接続されるラックと、
を備え、
前記弾性部材は、電力を受け取って伸縮し、前記ラックを駆動して前後させ、前記回転軸及び前記カンチレバーを駆動して回転させることを特徴とする請求項２に記載の外部モジュール。
【請求項５】
前記本体は二つの異なる收納スペースを有し、前記外部モジュールは、前記第一コネクタ、前記第二コネクタ及び前記駆動ユニットに電気的に接続される回路板を含み、前記回路板及び前記第一コネクタは前記收納スペースのうちの一方に位置し、前記カンチレバー及び前記第二コネクタはもう一方の收納スペースに位置することを特徴とする請求項２に記載の外部モジュール。
【請求項６】
前記移動部材は、前記カンチレバー上に設置されたストッパーをさらに含み、前記カンチレバーが前記回路板の縁まで回転すると、前記ストッパーが前記回路板に干渉することを特徴とする請求項５に記載の外部モジュール。
【請求項７】
前記本体は、各前記接続ポートの隣かつ前記第二コネクタの回転パス上にそれぞれ位置し、前記第二コネクタを各前記接続ポートに定位させる複数の可撓性定位部材をさらに含むことを特徴とする請求項１に記載の外部モジュール。
【請求項８】
電子デバイスであって、
ホストと、
前記ホストに直列接続された複数の外部モジュールを含み、各前記外部モジュールは、
本体と、
前記本体内に設置され、前記ホスト又は別の外部モジュールに電気的に接続される第一コネクタと、
前記本体内に設置される移動部材と、
前記移動部材上に設置され、前記第一コネクタに電気的に接続される第二コネクタと、
を備え、
前記ホストは前記外部モジュールに電力を輸送して、前記移動部材を駆動し、前記第二コネクタをある位置まで移動して別の外部モジュールの前記第一コネクタに接続することを特徴とする電子デバイス。
【請求項９】
前記本体は複数の接続ポートを有し、前記第一コネクタは前記複数の接続ポートの一つに固定され、前記第二コネクタは残りの前記複数の接続ポートの間を切り替えられることを特徴とする請求項８に記載の電子デバイス。
【請求項１０】
前記移動部材は、
前記本体内に設置された回転軸と、
一端が前記回転軸の中心に接続され、前記第二コネクタが別の一端に設置されるカンチレバーと、
前記回転軸に接続され、前記回転軸及び前記カンチレバーを駆動して回転させる駆動ユニットと、
を備えることを特徴とする請求項８に記載の電子デバイス。
【請求項１１】
前記回転軸はギアであり、前記駆動ユニットは、
可動磁性部材及びそれを取り囲む複数のコイルを含む電磁性部材と、
前記可動磁性部材に接続され、前記回転軸に歯合するラックと、
を備え、
前記複数のコイルは、電力を受け取って前記可動磁性部材を駆動し、前記ラックを前後に押して、前記回転軸及び前記カンチレバーを回転させることを特徴とする請求項１０に記載の電子デバイス。
【請求項１２】
前記回転軸はギアであり、前記駆動ユニットは、
弾性部材と、
前記回転軸に歯合して、前記弾性部材の一端に接続されるラックと、
を備え、
前記弾性部材は、電力を受け取って伸縮し、前記ラックを駆動して前後させ、前記回転軸及びカンチレバーを駆動して回転させることを特徴とする請求項１０に記載の電子デバイス。
【請求項１３】
前記本体は二つの異なる收納スペースを有し、前記外部モジュールは、前記第一コネクタ、前記第二コネクタ及び前記駆動ユニットに電気的に接続される回路板を含み、前記回路板及び前記第一コネクタは前記收納スペースのうちの一方に位置し、前記カンチレバー及び前記第二コネクタはもう一方の收納スペースに位置することを特徴とする請求項１０に記載の電子デバイス。
【請求項１４】
前記移動部材は、前記カンチレバー上に設置されたストッパーをさらに含み、前記カンチレバーが前記回路板の縁まで回転すると、前記ストッパーが前記回路板に干渉することを特徴とする請求項１３に記載の電子デバイス。
【請求項１５】
前記本体は、各前記接続ポートの隣かつ前記第二コネクタの回転パス上にそれぞれ位置し、前記第二コネクタを各前記接続ポートに定位させる複数の可撓性定位部材をさらに含むことを特徴とする請求項９に記載の電子デバイス。
【請求項１６】
外部モジュールの駆動方法であって、
前記外部モジュールは電子デバイスに外部的に接続され、前記外部モジュールは、
本体と、
移動部材と、
第一コネクタ及び第二コネクタと、
を備え、
前記本体は複数の接続ポートを有し、前記第一コネクタは前記複数の接続ポートの一つに固定され、前記移動部材は前記第二コネクタを駆動して前記複数の接続ポート間を切り替え、前記第二コネクタが位置する接続ポートは、前記第一コネクタが位置する接続ポートとは異なり、
前記方法は、
前記第一コネクタを前記電子デバイスに接続するに際し、前記電子デバイスによって前記移動部材に電力を提供するステップと、
前記電子デバイスに前記複数の接続ポートの一つの位置を入力し、前記移動部材を駆動して、前記第二コネクタを前記接続ポートまで回転させるステップと、
を含む外部モジュールの駆動方法。
【請求項１７】
前記移動部材は、
前記本体内に設置され、円弧歯形の輪郭を有する回転軸と、
一端が前記回転軸の中心に接続され、前記第二コネクタが別の一端に設置されるカンチレバーと、
前記回転軸に接続され、前記回転軸及び前記カンチレバーを駆動して回転させる駆動ユニットと、
を備え、
前記駆動ユニットは、
可動磁性部材及びそれを取り囲む複数のコイルを含む電磁性部材と、
前記可動磁性部材に接続され、前記回転軸に歯合するラックと、
を備え、
前記複数のコイルは、電力を受け取って前記可動磁性部材を駆動し、前記ラックを前後に押して、前記回転軸及び前記カンチレバーを回転させ、
前記方法は、
入力された前記接続ポートの位置に基づき、前記電子デバイスによって対応する電流を前記電磁性部材に輸送し、前記カンチレバーを駆動してある角度を回転させ、前記第二コネクタを前記接続ポートに移動させることをさらに含むことを特徴とする請求項１６に記載の外部モジュールの駆動方法。
【請求項１８】
前記移動部材は、
前記本体内に設置され、円弧歯形の輪郭を有する回転軸と、
一端が前記回転軸の中心に接続され、前記第二コネクタが別の一端に設置されるカンチレバーと、
前記回転軸に接続され、前記回転軸及び前記カンチレバーを駆動して回転させる駆動ユニットと、
を含み、
前記駆動ユニットは、
弾性部材と、
前記回転軸に歯合して、前記弾性部材の一端に接続されるラックと、
を備え、
前記弾性部材は、電力を受け取って伸縮し、前記ラックを駆動して前後させ、前記回転軸及び前記カンチレバーを駆動して回転させ、
前記方法は、
入力された前記接続ポートの位置に基づき、前記電子デバイスによって対応する電流を前記弾性部材に輸送し、前記弾性部材は前記電力を受け取って伸縮し、前記カンチレバーを駆動してある角度を回転させ、前記第二コネクタを前記接続ポートに移動させることをさらに含むことを特徴とする請求項１６に記載の外部モジュールの駆動方法。
【発明の詳細な説明】
【技術分野】
【０００１】
この発明は外部モジュールに関し、特に、可動コネクタを有する外部モジュールに関する。
【背景技術】
【０００２】
科学技術の発展に伴い、今日、コンピュータはますます普及し、コンピュータの機能もますます多様化している。素早く、かつ便利にコンピュータパフォーマンスを高める、又は、コンピュータ機能を追加するため、コンピュータホストは、一般的に、ＡＧＰバススロット（AGP bus slots）、ＰＣＩバススロット（PCI bus slots）、ＵＳＢ拡張端子セット、又は、サンダーボルトバススロット（Thunderbolt bus slots）等のバスの拡張部を含んでいる。
【０００３】
一般的に、マウス、プリンタ、スキャナ、又は外部ハードディスク等の周辺機器を接続するため、ホストには、もとから既に複数のバスコネクタが設けられている。しかしながら、全てのバスコネクタがユーザーの現在の需要を満足させることができるわけではない。したがって、コンピュータ周辺機器がますます多様化しているため、ユーザーは、ホストが充分な数のバスコネクタを提供していない、又は、ホストがバスコネクタを既に提供しているものの使用されず無駄になっているという状況に多々直面することがありうる。したがって、バスコネクタを充分に利用できる、又は、バスコネクタを需要に応じて変化させることのできるデバイス又は方法が必要とされている。
【発明の概要】
【発明が解決しようとする課題】
【０００４】
次に、この発明は、電子デバイスと互いに自由に直列かつ電気的に接続することのできる外部モジュールを提供する。
【課題を解決するための手段】
【０００５】
この発明は、電子デバイスに着脱可能に接続するのに適した外部モジュールを提供する。外部モジュールは、本体、第一コネクタ、移動部材、及び第二コネクタを含む。本体は複数の接続ポートを有する。第一コネクタは接続ポートの一つに固定されている。電子デバイスは第一コネクタに電気的に接続され、外部モジュールに電力を提供するのに適している。移動部材は本体内に設置されている。第二コネクタは移動部材に実装され、第一コネクタに電気的に接続されている。移動部材は第二コネクタを駆動して、接続ポート間の切り替えを行い、第二コネクタが位置する接続ポートは第一コネクタが位置する接続ポートとは異なる。
【０００６】
この発明は、ホスト及び複数の外部モジュールを含む電子デバイスを提供する。外部モジュールはホストに直列接続されている。各外部モジュールは、本体、第一コネクタ、移動部材、及び第二コネクタを含む。第一コネクタは本体内に設置され、ホスト又は別の外部モジュールに電気的に接続されている。移動部材は本体内に設置されている。第二コネクタは移動部材上に設置され、第一コネクタに電気的に接続されている。ホストは外部モジュールに電力を輸送し、移動部材を駆動し、第二コネクタを別の場所に移して、別の外部モジュールの第一コネクタに接続するのに適している。
【０００７】
この発明は、外部モジュールの駆動方法を提供する。外部モジュールは電子デバイスに外部接続するのに適している。外部モジュールは、本体、移動部材、第一コネクタ及び第二コネクタを含む。本体は複数の接続ポートを有する。第一コネクタは接続ポートの一つに固定されている。移動部材は第二コネクタを駆動して、接続ポート間を切り替え、第二コネクタが位置する接続ポートは第一コネクタが位置する接続ポートとは異なる。この方法は、第一コネクタが電子デバイスに接続された後、電子デバイスによって移動部材に電力を供給する方法と、接続ポートのうちの一つの位置を電子デバイスに入力し、移動部材を駆動して、第二コネクタを接続ポートまで回転させる方法を含む。
【０００８】
この発明の実施形態によると、前記移動部材は、回転軸、カンチレバー及び駆動ユニットをさらに含む。回転軸は本体内に設置されている。カンチレバーの一端は回転軸の中心に接続されている。第二コネクタはカンチレバーの別の一端に設置されている。駆動ユニットは回転軸に接続され、回転軸及びカンチレバーを駆動して回転させる。
【０００９】
この発明の実施形態によると、前記回転軸はギアである。駆動ユニットは、電磁性部材及びラックを含む。電磁性部材は可動磁性部材及びそれを取り囲む複数のコイルを含む。ラックは可動磁性部材に接続され、回転軸に歯合している。コイルは電力を受け取り、可動磁性部材を駆動してラックを前後に押して、回転軸及びカンチレバーを回転させる。
【００１０】
この発明の実施形態によると、前記本体は二つの異なる收納スペースを有する。第一コネクタは二つの收納スペースのうちの一つに設置されている。カンチレバー及び第二コネクタはもう一つの收納スペース内で回転する。
【００１１】
この発明の実施形態によると、前記外部モジュールは回路板をさらに含む。回路板及び第一コネクタは一般的に同じ收納スペースに位置する。回路板は第一コネクタ、第二コネクタ及び駆動ユニットに電気的に接続されている。
【００１２】
この発明の実施形態によると、回路板の輪郭は半円形である。回路板の縁は二つの收納スペースの境界に位置する。回転軸は回路板の中心に位置する。
【００１３】
この発明の実施形態によると、前記移動部材はカンチレバー上に設置されたストッパーをさらに含む。カンチレバーが回路板の縁まで回転したとき、ストッパーは回路板に干渉する。
【００１４】
この発明の実施形態によると、前記本体は、接続ポートの隣、かつ第二コネクタの回転経路上にそれぞれ位置し、第二コネクタをそれぞれの接続ポートに定位させる複数の可撓性定位部材をさらに含む。
【００１５】
この発明の実施形態によると、前記移動部材は、互いに接続される駆動ユニット及びリンク機構を有する。駆動ユニットは電磁性部材を含む。第二コネクタはリンク機構上に設置されている。前記方法は、入力された接続ポートの位置に基づき、電子デバイスによって、電磁性部材に対応する電流を輸送し、カンチレバーを駆動してある角度を回転させ、第二コネクタを接続ポートに移動する方法をさらに含む。
【００１６】
この発明の実施形態によると、前記方法は、入力された接続ポートの位置に基づき、電子デバイスによって、弾性部材に対応する電力を輸送し、弾性部材が電力を受け取って伸縮し、カンチレバーを駆動してある角度を回転させ、接続ポートに第二コネクタを移動する方法をさらに含む。
【００１７】
この発明の上記の特徴及び長所をさらに明確かつ分かりやすくするため、以下、実施形態を挙げるとともに、図面を添付して詳細に説明する。
【発明の効果】
【００１８】
上記に基づき、本発明において、移動部材は複数の接続ポートを有する外部モジュールの本体内に設置されている。移動部材は、回転可能な第二コネクタを駆動して、複数の接続ポート間を切り替える。外部モジュールは、電子デバイスに接続して外部モジュールに電力を輸送することのできる固定された第一コネクタをさらに含む。このようにして、外部モジュールの第二コネクタの位置は自由に切り替えることができ、外部モジュール使用における利便性及び融通性を高めることができる。さらに、この発明における第一コネクタ及び第二コネクタは、異なる機能を有する複数の外部モジュールを電子デバイスに直列接続するのに使用することができることから、この発明は電子デバイスの接続ポートの数不足の問題を充分に解決することができる。
【図面の簡単な説明】
【００１９】
【図１】図１は、この発明の実施形態に基づく電子デバイスを示す図である。
【図２】図２は、図１で示される外部モジュールの透視図である。
【図３ａ】図３ａは、図２で示される駆動ユニットを示す図である。
【図３ｂ】図３ｂは、図２で示される駆動ユニットの別の状態を示す図である。
【図３ｃ】図３ｃは、この発明の別の実施形態に基づく外部モジュールの駆動ユニットを示す図である。
【図４】図４は、図２のＡ−Ａ線に沿った断面図である。
【図５】図５は、この発明の実施形態に基づく外部モジュール駆動方法のフローチャートである。
【発明を実施するための形態】
【００２０】
図１は、この発明の実施形態に基づく電子デバイスを示す図である。図１を参照すると、この実施形態における電子デバイス２００は、ホスト２１０及び複数の外部モジュール１００を含む。電子デバイス２００は、ノートブック型コンピュータ、デスクトップ型コンピュータ、タブレットパソコン又は独立した計算及び表示機能を有するホストシステムであることができる。各外部モジュール１００は、電子デバイス２００の拡張キットとして特定の機能を有する電子モジュールであり、例えば、テレビボックス、ブルーレイプレーヤー、スピーカーシステム等である。さらに、外部モジュール１００は、電子デバイス２００の周辺機器の機能を拡張し、電子デバイス２００を使用する価値及び利便性を高めることができる。
【００２１】
ここでは、説明のためにノートブック型コンピュータのみを描いている。ノートブック型コンピュータは、外部モジュール１００に直列接続され、電気的直列接続パスＣ１を形成している。ここで、各外部モジュール１００は需要に応じて修正及び変更されることができる。
【００２２】
図２は、図１で示される外部モジュールの透視図であり、外部モジュール１００の内部構造をより明確に示している。図２を参照すると、この実施形態における外部モジュール１００は、本体１１０、第一コネクタ１２０、移動部材１３０、第二コネクタ１４０、及び回路板１５０を含む。第一コネクタ１２０及び第二コネクタ１４０の一方はプラグであることができ、もう一方はソケットであることができる。この実施形態において、第一コネクタ１２０はプラグであり、第二コネクタ１４０はソケットである。本体１１０は第一收納スペース１１４、第二收納スペース１１６、第一接続ポート１１２、及び複数の第二接続ポート１１２ａ、１１２ｂを有する。第一接続ポート１１２及び第一コネクタ１２０は第一收納スペース１１４内に設置されており、第一コネクタ１２０は第一接続ポート１１２に固定されている。電子デバイス２００は、第一コネクタ１２０に電気的に接続され、電力を外部モジュール１１０に提供するのに適している。
【００２３】
移動部材１３０は本体１１０内に設置されている。第二コネクタ１４０は移動部材１３０に実装され、第一コネクタ１２０に電気的に接続されている。移動部材１３０は第二收納スペース１１６内で回転し、第二コネクタ１４０を駆動して、第二接続ポート１１２ａと第二接続ポート１１２ｂ間を切り替える。回路板１５０は第一收納スペース１１４内に設置され、第一コネクタ１２０と第二コネクタ１４０間に電気的に接続されている。この実施形態において、回路板１５０は半円形をしている。回路板１５０は第一收納スペース１１４と第二收納スペース１１６の境界に位置する縁１５２を有し、移動部材１３０との協力により、本体１１０内部での回路板１５０の空間利用率を高めることができる。図２に示されるように、縁１５２に隣接する第二接続ポートの符号は１１２ａとして示し、縁１５２に隣接しない第二接続ポートの符号は１１２ｂとして示している。しかしながら、本体の第二接続ポートの数は特定の数に制限されず、本体１１０の外側の輪郭に基づいて適切に変更することができる。
【００２４】
図３ａは、図２で示される駆動ユニットを示す図であり、図３ｂは、図２で示される駆動ユニットの別の状態を示す図である。図３ａ及び図３ｂを参照すると、特に、移動部材１３０は、回転軸１３２、カンチレバー１３４、及び駆動ユニット１３６を含む。回転軸１３２は、回路板１５０の中心１５４上に位置し円弧歯形の輪郭（例えば、回転軸１３２は実質上、歯車である）を有する。カンチレバー１３４の一端は回転軸１３２の中心に接続され、第二コネクタ１４０はカンチレバー１３４の別の一端に設置されている（図には描かれていない）。駆動ユニット１３６は電磁性部材１３６ａ及びラック１３６ｂを含む。電磁性部材１３６ａは可動磁性部材１６２及びそれを取り囲む複数のコイル１６４を含む。可動磁性部材１６２は、回転軸１３２に歯合するラック１３６ｂに接続されている。
【００２５】
駆動ユニット１３６は回路板１５０に電気的に接続され、ホスト２１０のパワーをコイル１６４に輸送する。このようにして、電磁効果のもとで、コイル１６４上の電流C２は可動磁性部材１６２を移動する磁力F１を生み、ラック１３６bを押して回転軸１３２を駆動し、回転パスP１に沿って回転させる。したがって、ユーザーは、コイル１６４上の電流C２の方向及び大小によって、第二コネクタ１４０の回転方向および回転角度をコントロールし、第二コネクタ１４０の位置を異なる接続ポート１１２ａ、１１２ｂ間で切り替えることができる。
【００２６】
図３ｃは、この発明の別の実施形態に基づく外部モジュールの駆動ユニットを示す図である。図３ｃを参照すると、上記の実施形態とは異なり、駆動ユニット３３６は、弾性部材３３６ａ（例えば、導電性の伸縮バネ）及びラック１３６ｂを含む。ラック１３６ｂは、上記の実施形態におけるラックと同様に回転軸１３２に歯合しているので、ここで重ねて述べることはしない。異なるのは、弾性部材３３６ａの一端はラック１３６ｂに接続され、弾性部材３３６ａは、電流を受信して、軸方向A１に沿って伸縮するのに適している点である。このように、弾性部材３３６ａへの電流供給によって、弾性部材３３６ａを伸縮させ、ラック１３６ｂを駆動して前後に移動させ、上記の実施形態と同様に、ラック１３６ｂにより回転軸１３２を駆動して前後に回転させることができる。
【００２７】
図４は、図２のＡ−Ａ線に沿った断面図である。図２及び図４を参照すると、特に、移動部材１３０は、カンチレバー１３４上に設置されたストッパー１３８をさらに含む。カンチレバー１３４が回路板１５０の縁１５２まで回転すると、ストッパー１３８と回路板１５０は物理的に干渉して、カンチレバー１３４が回路板１５０に向かってさらに回転するのを防止し、第二コネクタ１４０を図２に示される第二接続ポート１１２ａに定位させる。さらに、本体１１０は、例えばゴム等により製造される複数の可撓性定位部材１１８をさらに含む。可撓性定位部材１１８は、第二接続ポート１１２ｂとは反対側で縁１５２とは隣接しない場所、かつ第二コネクタ１４０の回転パスＰ１上に位置し、第二コネクタ１４０を第二接続ポート１１２ｂ上に定位させる。
【００２８】
図５は、この発明の実施形態に基づく外部モジュール駆動方法のフローチャートである。図５を参照すると、ユーザーが外部モジュール１００を駆動しようとするとき、外部モジュール１００は、ステップＳ５１０においてホスト２１０に電気的に接続され、このとき、ホスト２１０は回路板１５０に電力を輸送することができる。ステップＳ５２０において、ユーザーは第二接続ポート１１２ａ、１１２ｂのうちの一つの位置をホスト２１０に入力する必要がある。ステップＳ５３０において、ホスト２１０は、入力された位置に基づき移動部材１３０の回転角度及び方向を決定し、移動部材１３０に対応する電流を供給して、第二コネクタ１４０を駆動し、接続しようとする第二接続ポート１１２ａ又は１１２ｂまで移動する。さらに、ステップＳ５４０において、ユーザーは、第二接続ポート１１２ａ又は１１２ｂに位置する第二コネクタ１４０に、別の外部モジュール１００をさらに電気的に接続することができ、これによって直列接続された外部モジュール１００を駆動して、それに接続された電子デバイス２００を使用することができる。
【００２９】
この発明の図に描かれていない別の実施形態において、第二コネクタの定位は手動でコントロールすることもできる。例えば、カンチレバーに手動コントロールボタンを設置することができ、手動コントロールボタンの少なくとも一部は本体の底面の外に露出している。回転レールは底面上に形成され、回転軸を取り囲んで、手動コントロールボタンがカンチレバーと共に回転レールに沿って回転できるようにしている。ユーザーは、第二コネクタの位置を切り替えようとするとき、第二コネクタが第二接続ポートに電気的に接続する位置まで、手動コントロールボタンを押して回転レールに沿って移動させるだけで良い。
【００３０】
上記をまとめ、この発明において、移動部材は複数の接続ポートを有する外部モジュール内に設置されている。移動部材は回転可能な第二コネクタを駆動して、接続ポート間を切り替える。外部モジュールは、固定された第一コネクタをさらに含み、電子デバイスに接続して外部モジュールに電力を提供することができる。外部モジュールは、電子デバイスから提供される電力を使用して、移動部材の電磁性部材を駆動し、回転軸及び第二コネクタに接続されたカンチレバーを順に駆動して回転させ、第二コネクタを接続しようとする接続ポートまで回転させ、電気的接続を形成する。外部モジュールの第二コネクタの位置は自由に切り替えられることから、異なる機能を有する複数の外部モジュールは、自由にアレンジして直列接続することができる。直列接続された外部モジュールは、電子デバイスの拡張キットとして電子デバイスに接続されることができる。これによって、外部モジュールを使用する利便性及び外部モジュールの組み合わせの融通性を高めることができる。さらに、この発明は、複数の外部モジュールを同時に電子デバイスに接続するために、一つのコネクタを電子デバイスに接続するだけでよいことから、この発明は、電子デバイスの接続ポートの数不足の問題を充分に解決することができる。
【００３１】
以上のように、この発明を実施形態により開示したが、もとより、この発明を限定するためのものではなく、当業者であれば、この発明の技術思想の範囲内において、適当な変更ならびに修正が当然なされうるものであるから、この発明の保護の範囲は、特許請求の範囲、及びそれと均等な領域を基準として定めなければならない。
【産業上の利用可能性】
【００３２】
この発明において、外部モジュールの移動部材は、回転可能な第二コネクタを駆動して接続ポート間を切り替えるため、外部モジュールの第二コネクタの位置は自由に切り替えられることができる。異なる機能を有する外部モジュールは自由にアレンジして直列接続することができる。これによって、外部モジュールを使用する利便性及び外部モジュールの組み合わせの融通性を高めることができる。さらに、この発明は、電子デバイスの接続ポートの数不足の問題を充分に解決することができる。このように、この発明の外部モジュール及び電子デバイスは市場において普及することができる。
【符号の説明】
【００３３】
１００    外部モジュール
１１０    本体
１１２    第一接続ポート
１１２ａ、１１２ｂ    第二接続ポート
１１４    第一收納スペース
１１６    第二收納スペース
１１８    可撓性定位部材
１２０    第一コネクタ
１３０    移動部材
１３２    回転軸
１３４    カンチレバー
１３６、３３６    駆動ユニット
１３６ａ    電磁性部材
１３６ｂ    ラック
１３８    ストッパー
１４０    第二コネクタ
１５０    回路板
１５２    縁
１５４    中心
１６２    可動磁性部材
１６４    コイル
２００    電子デバイス
２１０    ホスト
３３６ａ    弾性部材
Ｃ１    電気的直列接続パス
Ｃ２    電流
Ｐ１    回転パス
【図１】
2013058197.tif 000003
【図２】
2013058197.tif 000004
【図３ａ】
2013058197.tif 000005
【図３ｂ】
2013058197.tif 000006
【図３ｃ】
2013058197.tif 000007
【図４】
2013058197.tif 000008
【図５】
2013058197.tif 000009
【外国語明細書】
2013058197000001.pdf